(57)【要約】【課題】情報記録媒体の交換をしないで保護用の蓋を閉じた場合に、特別な操作を行うことなく、中断した位置から動画の再生を行うことができる再生装置を提供する。【解決手段】記録媒体６０を収納する記録媒体収納部を閉じる保護蓋９０を備える再生装置であって、記録媒体６０に記録された記録情報の再生する再生手段と、保護蓋９０の開閉状態を検出する蓋開閉検出手段と、記録媒体６０が記録媒体収納部から取り出されたかどうかを検出する記録媒体取り出し検出手段と、再生手段による再生動作中、蓋開閉検出手段によって保護蓋９０が開状態となった場合には、再生動作を中断するとともに再生中断位置を記憶し、再生動作の中断後に記録媒体６０が記録媒体収納部から取り出されることなく保護蓋９０が閉状態となったときに再生中断位置から再生動作を再開するように再生手段を制御する制御手段とを有する。【選択図】図３
2009217881.tif 000002
【特許請求の範囲】
【請求項１】
記録媒体を収納する記録媒体収納部を閉じる蓋部材を備える再生装置であって、
前記記録媒体に記録された記録情報を再生する再生手段と、
前記蓋部材の開閉状態を検出する蓋開閉検出手段と、
前記記録媒体が前記記録媒体収納部から取り出されたかどうかを検出する記録媒体取り出し検出手段と、
前記再生手段による再生動作中、前記蓋開閉検出手段によって前記蓋部材が開状態となった場合には、再生動作を中断するとともに再生中断位置を記憶し、再生動作の中断後に前記記録媒体が前記記録媒体収納部から取り出されることなく前記蓋部材が閉状態となったときに前記再生中断位置から再生動作を再開するように前記再生手段を制御する制御手段と、
を備えることを特徴とする再生装置。
【請求項２】
前記記録情報は動画像であることを特徴とする請求項１記載の再生装置。
【請求項３】
前記蓋部材は電源供給用の電池の蓋を兼ねることを特徴とする請求項１または請求項２記載の再生装置。
【請求項４】
前記制御手段は、再生動作の中断後に前記記録媒体が前記記録媒体収納部から取り出された場合に記憶した前記再生中断位置を消去することを特徴とする請求項１乃至請求項３のいずれかに記載の再生装置。
【請求項５】
前記制御手段は、前記蓋部材が開状態となってから所定時間が経過すると記憶した前記再生中断位置を消去することを特徴とする請求項１乃至請求項４のいずれかに記載の再生装置。
【請求項６】
記録媒体を収納する記録媒体収納部を閉じる蓋部材と、前記記録媒体に記録された記録情報の再生する再生手段と、前記蓋部材の開閉状態を検出する蓋開閉検出手段と、前記記録媒体が前記記録媒体収納部から取り出されたかどうかを検出する記録媒体取り出し検出手段とを備える再生装置の制御方法であって、
前記再生手段による再生動作中、前記蓋開閉検出手段によって前記蓋部材が開状態となった場合には、再生動作を中断するとともに再生中断位置を記憶し、再生動作の中断後に前記記録媒体が前記記録媒体収納部から取り出されることなく前記蓋部材が閉状態となったときに前記再生中断位置から再生動作を再開することを特徴とする再生装置の制御方法。
【発明の詳細な説明】
【技術分野】
【０００１】
本発明は、交換可能な情報記録媒体の情報を再生する再生装置及びその制御方法に関する。
【背景技術】
【０００２】
交換可能な情報記録媒体の情報を再生する再生装置において、特許文献１には、以下の技術が提案されている。
【０００３】
交換可能な情報記録媒体の取り外し保護用の蓋を備える。そして、電源オン中における蓋の開閉を検知し、蓋が開かれたら電源の供給を停止し、情報記録媒体の装着後に電源の供給を再開させる。
【特許文献１】特開平１１−３４１４０８号公報
【発明の開示】
【発明が解決しようとする課題】
【０００４】
上述のように、交換可能な情報記録媒体の取り外し保護用の蓋を備え、蓋の開放により情報記録媒体に記録された情報の再生を一時中断する再生装置が知られている。
【０００５】
しかしながら、上記従来の再生装置において、情報記録媒体の交換をしないで蓋を閉じた場合に、中断した記録情報の位置から再生が開始されずに、静止画像の画面になる。
【０００６】
このような場合、ユーザーは、記録情報を再開させたい動画を検索し、再生を開始する操作をしなければならない。
【０００７】
このような煩雑な処理（操作）は、情報記録媒体に記録された記録情報が長い場合や記録されているコンテンツが複数になるほど必要性が高くなる。
【０００８】
また、情報記録媒体に中断位置情報を記録するものもあるが、この場合、情報記録媒体が書き換え可能なものである制限があった。
【０００９】
さらに、交換可能な情報記録媒体の取り外し保護用の蓋が電池蓋と共用になっている場合に、ユーザーが電池のみを交換をした場合にも、煩雑な操作の必要性が高くなる。
【００１０】
本発明の目的は、情報記録媒体の交換をしないで保護用の蓋を閉じた場合に、特別な操作を行うことなく、中断した位置から動画の再生を行うことができる再生装置及びその制御方法、並びにプログラム及び記憶媒体を提供することにある。
【課題を解決するための手段】
【００１１】
上記目的を達成するために、本発明の再生装置は、記録媒体を収納する記録媒体収納部を閉じる蓋部材を備える再生装置であって、前記記録媒体に記録された記録情報の再生する再生手段と、前記蓋部材の開閉状態を検出する蓋開閉検出手段と、前記記録媒体が前記記録媒体収納部から取り出されたかどうかを検出する記録媒体取り出し検出手段と、前記再生手段による再生動作中、前記蓋開閉検出手段によって前記蓋部材が開状態となった場合には、再生動作を中断するとともに再生中断位置を記憶し、再生動作の中断後に前記記録媒体が前記記録媒体収納部から取り出されることなく前記蓋部材が閉状態となったときに前記再生中断位置から再生動作を再開するように前記再生手段を制御する制御手段とを備えることを特徴としている。
【発明の効果】
【００１２】
本発明の再生装置によれば、情報記録媒体の交換をしないで保護用の蓋を閉じた場合に、特別な操作を行うことなく、中断した位置から動画の再生を行うことができる。
【発明を実施するための最良の形態】
【００１３】
以下、本発明の実施の形態を図面を参照しながら詳細に説明する。
【００１４】
（第１の実施の形態）
図１は、本発明の第１の実施の形態に係る再生装置の外観斜視図である。
【００１５】
図１において、再生装置（ビデオカメラ）本体１は、その側面に表示装置５０を備えている。また、再生装置本体１には、記録媒体収納部を開け閉めする保護蓋９０（蓋部材）の開閉を検出する蓋開閉検出回路９１が備わっている。
【００１６】
表示装置５０は、早送りボタン１００、巻き戻しボタン１０１、再生ボタン１０２を備える。
【００１７】
図２は、図１の再生装置のブロック図である。
【００１８】
再生装置は、以下のデバイスを備える。
【００１９】
マイクロプロセッサ１０（制御手段）は撮像・再生の動作を制御する。不揮発性メモリ１１は、マイクロプロセッサ１０の制御プログラムが保存される。ＲＡＭ１２は、記録された画像を一時読み出したときに保存し、また、データを記憶するためのワークエリアとして使用する。
【００２０】
表示装置５０は、再生時の再生画像やマイクロプロセッサ１０のプログラムの実行状態に応じた動作状態やメッセージなどを文字及び画像にて表示する。
【００２１】
交換可能な記録媒体（情報記録媒体）６０は、画像処理されたデジタルデータをマイクロプロセッサ１０経由で再生するためのものであり、幾つかの画像データにランダムアクセス可能である。
【００２２】
記録媒体制御回路７０は、記録媒体６０にデジタルデータを再生するための制御を行い、また、記録媒体６０の読み出し制御を行い、さらに、データ読み出し位置などを制御するための制御回路である。
【００２３】
記録媒体有無検出回路８０は、記録媒体６０の有無を検出するための検出回路（記録媒体取り出し検出手段）である。この記録媒体有無検出回路８０の出力は、マイクロプロセッサ１０に接続されていて、ここで処理される。
【００２４】
図１の再生装置本体１には、記録媒体収納部に収納された記録媒体６０を保護する保護蓋９０が備えられる。蓋開閉検出回路９１は、この保護蓋９０の開閉を検出するための検出回路である。この蓋開閉検出回路９１の出力は、マイクロプロセッサ１０に接続されていて、ここで処理される。
【００２５】
早送りボタン１００は、再生装置が画像を再生状態から早送り状態に移行するための操作ボタンである。巻き戻しボタン１０１は、再生装置が画像を再生状態から巻き戻し状態に移行するための操作ボタンである。再生ボタン１０２は、再生装置が画像を再生開始するための操作ボタンである。
【００２６】
そして、これら３つのスイッチの設定は全てマイクロプロセッサ１０によって判断・処理される。
【００２７】
図３は、図２の再生装置によって実行される再生モード処理の手順を示すフローチャートである。
【００２８】
本フローチャートの処理は、図２におけるマイクロプロセッサ１０の制御の下に実行される。
【００２９】
図３において、再生装置の動作モードが再生モードのとき、マイクロプロセッサ１０は、再生ボタン１０２の押下を検出する。マイクロプロセッサ１０は、記録媒体制御回路７０を制御して、記録媒体６０に記録された画像情報（記録情報；動画像）にランダムアクセスして記録されている画像情報を読み出して、記録情報の再生を開始する（ステップＳ１２１）。
【００３０】
ステップＳ１２１は、記録媒体６０に記録された記録情報の再生を開始する開始手段として機能する。
【００３１】
このとき、蓋開閉検出回路９１の検出出力及び記録媒体有無検出回路８０の検出出力は、マイクロプロセッサ１０に接続されていて、常にその出力値に基づいた処理及び判断がなされる（ステップＳ１２２及びステップＳ１２４）。
【００３２】
ステップＳ１２２は、開始手段により開始された再生動作中に保護蓋９０の開閉状態を判断する第１の判断手段として機能する。
【００３３】
マイクロプロセッサ１０は、保護蓋９０の状態を閉状態と判断した場合には、通常再生を維持する（ステップ１２１）。一方、保護蓋９０の状態を開状態と判断した場合には、画像情報の再生を一時停止して、再生中断位置をＲＡＭ１２に記憶する（ステップＳ１２３）。
【００３４】
ステップＳ１２３は、第１の判断手段により保護蓋９０が開かれていると判断された場合に再生の中断位置を記憶媒体（ＲＡＭ１２）に記憶して再生を中断する記憶・停止手段として機能する。
【００３５】
さらに、マイクロプロセッサ１０は、記録媒体６０が抜かれたかどうかを記録媒体有無検出回路８０の検出出力によって判断する（ステップＳ１２４）。
【００３６】
ステップＳ１２４は、再生中断後に記録媒体（ＲＡＭ１２）が抜かれたか判断する記録媒体取り出し検出手段として機能する。
【００３７】
そして、ステップＳ１２４で、記録媒体６０が抜かれた（無し）と判断した場合には、マイクロプロセッサ１０は、ステップＳ１２３でＲＡＭ１２に記憶した再生中断位置の情報を消去して、通常の再生モードに移行する（ステップＳ１２８）。そして、本処理を終了する。
【００３８】
ステップＳ１２８は、第２の判断手段により記録媒体６０が抜かれたと判断された場合に記憶・停止手段に記憶されている再生の中断位置を消去して再生の動作に移行する移行手段として機能する。
【００３９】
一方、ステップＳ１２４で、記録媒体６０が抜かれない（有り）と判断した場合には、マイクロプロセッサ１０は、記録媒体６０の保護蓋９０の開閉状態を検出するため、蓋開閉検出回路９１の検出出力を確認する（ステップＳ１２５）。
【００４０】
ステップＳ１２５は、第２の判断手段により記録媒体６０が抜かれていないと判断された場合に再び保護蓋９０の開閉状態を判断する第３の判断手段として機能する。
【００４１】
保護蓋９０の状態を開と確認した場合には、マイクロプロセッサ１０は、再度、記録媒体有無検出回路８０の検出出力を確認する（ステップＳ１２４）。
【００４２】
保護蓋９０の状態を閉と確認した場合には、ＲＡＭ１２より再生中断位置情報を読み出す（ステップＳ１２６）。
【００４３】
ステップＳ１２６は、第３の判断手段により保護蓋９０が閉じられていると判断された場合に再生の中断位置を読み出す読み出し手段として機能する。
【００４４】
そして、この再生中断位置情報に基づいて、一時中断した画像から再生を開始し（ステップＳ１２７）、本処理を終了する。
【００４５】
ステップＳ１２７は、読み出し手段により読み出された再生の中断位置に基づき記録媒体６０に記録された記録情報の再生を再開する再開手段として機能する。
【００４６】
（第２の実施の形態）
図４は、本発明の第２の実施の形態に係る再生装置の外観斜視図である。
【００４７】
図において、再生装置本体１は、その側面に表示装置５０を備えている。また、再生装置本体１には、交換可能な記録媒体６０と再生装置への電源供給用の電池１２０を保護する保護蓋９０が備わっている。
【００４８】
表示装置５０は、早送りボタン１００、巻き戻しボタン１０１、再生ボタン１０２を備える。
【００４９】
このように、交換可能な記録媒体６０と再生装置への電源供給用の電池１２０を保護する保護蓋９０が共通の場合には、図３のフローチャートにおいて、以下のように処理が実行される。
【００５０】
図３のステップＳ１２３の状態で、電池１２０のみ抜かれても、記録媒体６０が抜かれずに（ステップＳ１２４でＮＯ）、保護蓋９０が閉じられた場合には（ステップＳ１２５で閉）、ＲＡＭ１２より再生中断位置情報を読み出す（ステップＳ１２６）。そして、この再生中断位置情報に基づいて、一時中断した画像から再生を開始する（ステップＳ１２７）。
【００５１】
（第３の実施の形態）
図３のフローチャートにおいて、再生装置の動作モードが再生モードのとき、マイクロプロセッサ１０で、再生ボタン１０２の押下を検出する。マイクロプロセッサ１０は、記録媒体制御回路７０を制御して、記録媒体６０に記録された画像情報にランダムアクセスして記録されている画像情報を読み出して再生を開始する（ステップＳ１２１）。
【００５２】
その後、ステップＳ１２５において、記録媒体６０の保護蓋９０が開けられてからの経過時間を計時して、さらにユーザーが、キー入力により経過時間を設定できるようにしておく。
【００５３】
そして、経過時間が予め設定しておいた所定時間を超えた場合には、マイクロプロセッサ１０は、ステップ１２３でＲＡＭ１２に記憶した再生中断位置の情報を消去して、通常の再生モードに移行する（ステップＳ１２８）。
【００５４】
（第４の実施の形態）
図３のフローチャートにおいて、再生装置の動作モードが再生モードのとき、マイクロプロセッサ１０で、再生ボタン１０２の押下を検出する。マイクロプロセッサ１０は、記録媒体制御回路７０を制御して、記録媒体６０に記録された画像情報にランダムアクセスして記録されている画像情報を読み出して再生を開始する（ステップＳ１２１）。
【００５５】
ステップＳ１２４において、再生装置の電源がオフされた場合にも記録媒体６０が抜かれたかどうかを検出するために、記録媒体有無検出回路８０とマイクロプロセッサ１０をバックアップ電源に接続する。
【００５６】
（第５の実施の形態）
図３のフローチャートにおいて、記録媒体６０がＳＤカードの場合に、再生装置の電源オフ状態で記録媒体６０が交換された場合に、再度電源オンで、記録媒体６０が電源オン前と同じかどうかを検出する。
【００５７】
その手段として、記録媒体６０の空き容量と、記録されている画像情報の記録フォーマット及び対応スピードクラス（最低速度保証）を比較する。すべてが一致していた場合には、記録媒体６０が電源オン前と同じと判断する。そして、ステップＳ１２３でＲＡＭ１２に記憶した再生中断位置の情報を基に画像情報の初期表示をする。
【００５８】
さらに、再生ボタン１０２の押下を検出したら、ＲＡＭ１２に記憶した再生中断情報を基に、再生モードを開始する。
【００５９】
以上説明したように、本発明によれば、記録媒体６０の交換をしないで保護蓋９０を閉じた場合に、先に記憶しておいた中断位置情報を基に再生を開始することが可能になる。
【００６０】
また、記録媒体６０が、書き換え不可能な場合にも、中断位置情報を記憶媒体（ＲＡＭ１２）に記憶することにより、中断位置情報を基に再生を開始することが可能になる。
【００６１】
また、本発明の目的は、以下の処理を実行することによって達成される。即ち、上述した実施形態の機能を実現するソフトウェアのプログラムコードを記録した記憶媒体を、システム或いは装置に供給し、そのシステム或いは装置のコンピュータ（またはＣＰＵやＭＰＵ等）が記憶媒体に格納されたプログラムコードを読み出す処理である。
【００６２】
この場合、記憶媒体から読み出されたプログラムコード自体が前述した実施の形態の機能を実現することになり、そのプログラムコード及び該プログラムコードを記憶した記憶媒体は本発明を構成することになる。
【００６３】
また、プログラムコードを供給するための記憶媒体としては、次のものを用いることができる。例えば、フロッピー（登録商標）ディスク、ハードディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ、磁気テープ、不揮発性のメモリカード、ＲＯＭ等である。または、プログラムコードをネットワークを介してダウンロードしてもよい。
【００６４】
また、コンピュータが読み出したプログラムコードを実行することにより、上記実施の形態の機能が実現される場合も本発明に含まれる。加えて、そのプログラムコードの指示に基づき、コンピュータ上で稼動しているＯＳ（オペレーティングシステム）等が実際の処理の一部または全部を行い、その処理によって前述した実施形態の機能が実現される場合も含まれる。
【００６５】
更に、前述した実施形態の機能が以下の処理によって実現される場合も本発明に含まれる。即ち、記憶媒体から読み出されたプログラムコードが、コンピュータに挿入された機能拡張ボードやコンピュータに接続された機能拡張ユニットに備わるメモリに書き込まれる。その後、そのプログラムコードの指示に基づき、その機能拡張ボードや機能拡張ユニットに備わるＣＰＵ等が実際の処理の一部または全部を行う場合である。
【図面の簡単な説明】
【００６６】
【図１】本発明の第１の実施の形態に係る再生装置の外観斜視図である。
【図２】図１の再生装置のブロック図である。
【図３】図２の再生装置によって実行される再生モード処理の手順を示すフローチャートである。
【図４】本発明の第２の実施の形態に係る再生装置の外観斜視図である。
【符号の説明】
【００６７】
１  再生装置本体
１０  マイクロプロセッサ
１１  不揮発性メモリ
１２  ＲＡＭ
５０  表示装置
６０  記録媒体
７０  記録媒体制御装置
８０  記録媒体有無検出回路
９０  保護蓋
９１  蓋開閉検出回路
１２０  電池
【図１】
2009217881.tif 000003
【図２】
2009217881.tif 000004
【図３】
2009217881.tif 000005
【図４】
2009217881.tif 000006